(57)【特許請求の範囲】
【請求項１】
水溶性顆粒状ジベレリン組成物であって、
組成物の全重量の少なくとも４０重量パーセントの少なくとも１種類のジベレリン；
少なくとも１種類の結合剤；
二糖、ソルビトール、マンニトール、グルコース及びフルクトースから選択される少なくとも１種類の糖；及び
少なくとも１種類の界面活性剤；
を含む水溶性顆粒状ジベレリン組成物。
【請求項２】
前記結合剤がポリビニルピロリドン、リグノスルホネート、リグニン、レシチン、デンプン、グルテン、ポリエチレングリコールおよびそれらの組合せからなる群より選択される、請求項１の組成物。
【請求項３】
前記糖がスクロース、ラクトース、マルトース、マルトデキストリン、コーンシロップ固体、及びそれらの組合せからなる群より選択される、請求項１の組成物。
【請求項４】
前記界面活性剤がエトキシル化脂肪酸、グリコールエステル、エトキシル化アルコール、ソルビタン脂肪酸エステルおよびそれらの組合せからなる群より選択される、請求項１の組成物。
【請求項５】
表面活性剤、粘着剤、展着性粘着剤、殺線虫剤、全身獲得抵抗性誘発剤、消泡剤、保存剤、加湿剤、染料、Ｕ．Ｖ．保護剤、緩衝剤、流動剤、担体およびそれらの組合せからなる群より選択される追加成分をさらに含む、請求項１の組成物。
【請求項６】
４０重量パーセントから８０重量パーセントの植物成長調節剤、０．１重量パーセントから１０重量パーセントの結合剤、５重量パーセントから９５重量パーセントの二糖および０．１重量パーセントから１０重量パーセントの界面活性剤を有する、請求項１の組成物であって、いずれのパーセンテージも顆粒組成物の全重量に基づくものである組成物。
【請求項７】
前記二糖がラクトース一水和物であり、前記結合剤がポリビニルピロリドンであり、かつ前記界面活性剤がポリオキシエチレン２０ソルビタンモノラウレートである、請求項１の組成物。
【請求項８】
消泡剤、保存剤、加湿剤、染料、Ｕ．Ｖ．保護剤、緩衝剤、流動剤、担体及びそれらの組合せからなる群より選択される少なくとも１つの追加成分をさらに含む、請求項１の組成物。
【請求項９】
オーキシン、サイトキニン、α−ナフチル酢酸、エチレン生合成阻害剤およびそれらの組合せから選択される少なくとも１つの追加の植物成長調節剤をさらに含む、請求項１の組成物。
【請求項１０】
４０重量パーセントから５０重量パーセントのジベレリン、０．１重量パーセントから４重量パーセントのポリビニルピロリドン、４０重量パーセントから６０重量パーセントのラクトース一水和物および０．５重量パーセントから５重量パーセントのポリオキシエチレン２０モノラウレートを有する、請求項７の組成物であって、いずれのパーセンテージも顆粒組成物の全重量に基づくものである組成物。
【請求項１１】
４０重量パーセントから５０重量パーセントの少なくとも１種類のジベレリン、０．１重量パーセントから４重量パーセントのポリビニルピロリドン、４０重量パーセントから６０重量パーセントのラクトース一水和物及び０．５重量パーセントから５重量パーセントのポリオキシエチレン２０モノラウレートを含む水溶性顆粒状ジベレリン組成物であって、いずれのパーセンテージも顆粒組成物の全重量に基づくものである組成物。
【請求項１２】
追加の表面活性剤、追加の結合剤、消泡剤、保存剤、加湿剤、染料、Ｕ．Ｖ．保護剤、緩衝剤、流動剤、担体およびそれらの組合せからなる群より選択される少なくとも１つの追加成分をさらに含む、請求項１１の組成物。
【請求項１３】
オーキシン、サイトキニン、α−ナフチル酢酸、エチレン生合成阻害剤およびそれらの組合せからなる群から選択される少なくとも１つの追加の植物成長調節剤をさらに含む、請求項１１の組成物。
【発明の詳細な説明】
【技術分野】
【０００１】
本発明は、少なくとも４０％の少なくとも１種類の植物成長調節剤、少なくとも１種類の結合剤、少なくとも１種類の二糖および少なくとも１種類の界面活性剤を含む水溶性顆粒状組成物；それに加えて、その組成物の製造および使用方法に向けられる。この水溶性顆粒状組成物は、そのような組成物が迅速に溶解し、容易に秤量され、より高度に濃縮することができ、かつダスト非含有であるため、噴霧散布のための固体植物成長調節剤配合物の調製を有利に改善する。現時点で好ましい水溶性顆粒状組成物は、少なくとも４０％の少なくとも１種類のジベレリンを植物成長調節剤として含む。
【背景技術】
【０００２】
植物成長調節剤は、幹の伸長、発芽、休眠、開花、性発現、酵素誘導、果実のサイズおよび品質の他に葉および果実の老化を含む一連の植物発達プロセスに影響を及ぼすのに有用である。植物成長調節剤は少なくとも５つの異なるタイプの配合物として配合することができる：１）溶液、２）湿潤性粉末、３）可溶性粉末、４）錠剤および５）水分散性顆粒。そのような配合物を用いるために、通常の噴霧散布に先立ち、それらを水溶液で希釈しなければならない。通常のタイプの配合物の各々は不都合を有し、そのため改善された植物成長調節剤配合物を提供する研究が継続されている。従来の配合物の不都合を、特定の植物成長調節剤のクラス、ジベレリンを一般的な植物成長調節剤の従来の配合物を代表するものとして参照して考察する。
【０００３】
ジベレリンはジテルペノイド酸である植物成長調節剤の一クラスである。ジベレリンは天然真菌、Ｇｉｂｂｅｒｅｌｌａ  ｆｕｇｉｋｕｒｏｉの発酵によって商業的に産生される。ジベレリンは様々な商品名で市販されており、様々な果樹園、野菜、条植え作物、および観葉作物に対して商業的に用いられる。主として用いられるジベレリン酸は、上述の５つの形態のいずれかで配合されるＧＡ３である。他の一般に用いられるジベレリンは２つの組合せ、（ＧＡ４＋７）であり、これは主としてテトラヒドロフルフリルアルコール（ＴＨＦＡ）またはプロピレングリコール中の溶液として配合される。
【０００４】
溶液配合物
ジベレリン溶液配合物は幾つかの点で不利である。これらの溶液、例えば、プロピレングリコール中のＧＡ４＋７のものは、活性物質の低溶解度のために濃縮性に劣り、かつ安定性が限られる。現在用いられる溶媒のうち、イソプロピルアルコールおよびメチルアルコールは深刻な不利益、例えば、引火性および毒性をもたらし、これらはそのような溶液の製造、包装、ラベル貼り、輸送、および保管における制限につながる。幾つかの配合物において用いられるＴＨＦＡは眼および皮膚に対して腐食性であると考えられる。さらに、プロピレングリコール中でのジベレリンの低溶解度は高効力溶液配合物の調製を許容しない。これらの低強度溶液配合物はより大きな包装、より多くの保管空間、並びにより多くの関連輸送、保管、およびコンテナ処分経費をも必要とする。非常に低い溶解度および望ましくない加水分解のため、ジベレリンを水系中に配合することは可能となっていない。ジベレリンの溶液配合号物の幾つかの例には、ＰＲＯＧＩＢＢ  ４％、ＲＡＬＥＸ、ＲＥＬＥＡＳＥ  ＬＣおよびＲＹＺＵＰが含まれ、これら全てはＶａｌｅｎｔ  ＢｉｏＳｃｉｅｎｃｅｓ  Ｃｏｒｐ．から入手可能である。
【０００５】
粉末配合物
可溶性粉末配合物は、水と混合したとき、直ちに水に溶解して真溶液を形成するものである。ひとたび溶液が形成されると、タンク混合物のさらなる混合または攪拌は必要ない。
【０００６】
混合は異なる物質を、通常は均一状態まで、合わせるプロセスである。攪拌は混合のプロセスを補助し、噴霧タンクの底部にブレードの回転シャフトを含む機械的プロセスである。
【０００７】
粉末ジベレリン配合物の例はＶａｌｅｎｔ  ＢｉｏＳｃｉｅｎｃｅｓ  Ｃｏｒｐ．から入手可能なＰＲＯＧＩＢＢ  ２Ｘであり、これは２０％の活性成分、ジベレリンを含有する。湿潤性粉末配合物は乾燥した微細に粉砕された配合物である。この配合物においては、活性成分を、水中に懸濁するその粉末の能力を増去する他の成分と共に、微細に粉砕された乾燥担体、通常は、鉱物粘土と組み合わせる。湿潤性粉末を水と混合することで懸濁液が形成され、次にそれを噴霧技術によって塗布する。湿潤性粉末ジベレリン配合物の例にはＰＲＯＧＩＢＢ  ＰＬＵＳ、ＡＣＴＩＶＯＬ  １０％およびＲＥＬＥＡＳＥが含まれ、これら全てはＶａｌｅｎｔ  ＢｉｏＳｃｉｅｎｃｅｓ  Ｃｏｒｐ．から入手可能である。
【０００８】
湿潤性粉末および可溶性粉末配合物の主な不都合は、それらが取り扱い時、例えば、それらを注ぎ、移動し、または測定するときにダストを生成する傾向にあることである。このダストは健康上の危険を生じることがある。さらに、粉末配合物は湿潤が不十分である傾向にあり、かつ水に添加したときに徐々に可溶化もする。したがって、粉末配合物はタンク混合物中で湿潤、分散および可溶化するのに長時間を要する。塊または部分的に可溶化された噴霧溶液の配合物は、野外性能の低下の可能性を伴う、タンク混合物中での植物成長調節剤の不均一な分布につながる。時には、噴霧タンク補助剤によって生じる噴霧タンク内の泡も湿潤性および可溶性粉末の湿潤および溶解度に影響を及ぼすことがある。湿潤性粉末配合物はタンク内並びに噴霧された葉および果実上の両者に望ましくない不溶性残滓も残す。
【０００９】
錠剤配合物
錠剤配合物は予め測定された薬用量の送達系である。これらは小面積において、または観葉植物に有用である。錠剤配合物は発泡性であり、錠剤のタイプおよびサイズに依存して２分から１０分にわたって水に溶解する。
【００１０】
しかしながら、錠剤は、錠剤当たり僅かに０．１グラムから１グラムの活性成分を送達するだけである。それらは大規模野外作業には理想的ではない。さらに、発泡錠は湿度に非常に感受性であり；溶解するのがゆっくりである可溶性があり、かつ高価である。
【００１１】
水分散性顆粒状配合物
水分散性顆粒は湿潤性顆粒または乾燥流動体としても知られる。このタイプの配合物は、活性成分が分散性顆粒として配合されることを除いて、湿潤性粉末に類似する。噴霧用途の水分散性顆粒を調製するため、それらを水に分散させて攪拌で懸濁液を形成する。農芸化学薬品用に多くの異なる水分散性顆粒状配合物が公知である。例えば、欧州特許第０２５２８９７号および米国特許第４，９３６，９０１号は水分散性顆粒状配合物中に封入された植物成長調節剤を開示し；および米国特許第５，６２２，６５８号は水分散性顆粒を調製するための押出し可能な組成物を開示する。３．１％の活性成分を含有する顆粒状ジベレリン配合物の例は、日本の協和発酵工業株式会社（Ｋｙｏｗａ  Ｆｅｒｍｅｎｔａｔｉｏｎ  Ｉｎｄｕｓｔｒｙ）から入手可能な、ジベリン協和可溶性粉末（Ｇｉｂｂｅｒｅｌｌｉｎ  Ｋｙｏｗａ  Ｓｏｌｕｂｌｅ  Ｐｏｗｄｅｒ）である。
【発明の開示】
【発明が解決しようとする課題】
【００１２】
水分散性顆粒は、通常、８パーセント以下の水分含量を有し、水溶液に添加されたときに懸濁液を形成する。生じる懸濁液は、それを完全に分散させるため、所定の期間攪拌しなければならない。また、タンク混合物の攪拌またはバイパス再循環は塗布の間維持しなればならない。水分散性顆粒の品質は高度にプロセスおよび活性成分依存性であり；かつ、低収率の回収、ダストの可能性につながる不十分な攪拌耐性、高い製造経費および不十分な分散を生じる可能性がある。一般には、溶解した水分散性顆粒状配合物の噴霧は処理した葉および果実上に望ましくない不溶性残滓を残す。
【００１３】
ジベレリンのような植物成長調節剤を有効とするため、塗布に先立って活性成分をタンク混合物中に可溶化しなければならない。さもなければ、生成物の効力が深刻な影響を受ける。水分散性顆粒が用いられるとき、噴霧溶液中における活性成分の総溶解度が達成されている場合には、しばしば、より多くの成長が実現され得ないことがある。加えて、水分散性顆粒は経時的に硬化していく可能性があり、したがって、活性成分の不十分な分散性および溶解性を生じる。特定の水分散性顆粒および粉末配合物ではダストおよび固化が問題となることがある。
【００１４】
したがって、高い効力および迅速な溶解性をもたらし；かつ従来の配合物に付随する問題を回避する植物成長調節剤配合物が有益である。
【課題を解決するための手段】
【００１５】
本発明は、少なくとも４０％の少なくとも１種類の植物成長調節剤、少なくとも１種類の結合剤、少なくとも１種類の二糖および少なくとも１種類の界面活性剤を含む水溶性顆粒状組成物；それに加えて、その組成物の製造および使用方法に向けられる。この水溶性顆粒状組成物は、そのような組成物が迅速に溶解するため噴霧塗布用の固体植物成長調節剤配合物の調製を有利に改善し、容易に秤量され、より高度に濃縮することができ、および取り扱う上でダストと無縁である。現時点で好ましい水溶性顆粒状組成物は、少なくとも１種類のジベレリン、ポリビニルピロリドン、少なくとも１種類の二糖および少なくとも１種類の界面活性剤を含む。
【００１６】
本発明は、少なくとも１種類の植物成長調節剤；少なくとも１種類の結合剤；少なくとも１種類の二糖；および少なくとも１種類の界面活性剤を含む水溶性顆粒状組成物に向けられる。より具体的には、植物成長調節剤はジベレリン、オーキシン、有機酸、サイトキニン、およびエチレン生合成阻害剤またはそれらの組合せであり得；結合剤はポリビニルピロリドン、リグノスルホネート、リグニン、レシチン、デンプン、グルテン、ポリエチレングリコールまたはそれらの組合せであり得；二糖はスクロース、ラクトース、マルトース、加水分解されたデンプン、例えば、マルトデキストリンおよびコーンシロップ固体、糖アルコール、例えば、ソルビトールおよびマンニトール並びに他の糖、例えば、グルコースおよびフルクトースまたはそれらの組合せであり得；界面活性剤はエトキシル化脂肪酸、グリコールエステル、エトキシル化アルコール、ソルビタン脂肪酸エステルまたはそれらの組合せであり得る。この組成物は、少なくとも１種類のさらなる成分、例えば、表面活性剤、粘着剤、展着性粘着剤、殺線虫剤、全身獲得抵抗性誘発剤、消泡剤、保存剤、加湿剤、染料、Ｕ．Ｖ．保護剤、緩衝剤、流動剤、担体またはそれらの組合せも含有することができる。
【００１７】
この組成物は約４０重量パーセントから約８０重量パーセントの植物成長調節剤、約０．１重量パーセントから約１０重量パーセントの結合剤、約５重量パーセントから約９５重量パーセントの二糖および約０．１重量パーセントから約１０重量パーセントの界面活性剤を有することができる。
【００１８】
好ましい配合物は、少なくとも４０％の少なくとも１種類のジベレリン、少なくとも１種類の結合剤、少なくとも１種類の二糖および少なくとも１種類の界面活性剤を含む水溶性顆粒状ジベレリン組成物である。現時点で好ましい二糖はラクトース一水和物であり、現時点で好ましい結合剤はポリビニルピロリドンであり、かつ現時点で好ましい界面活性剤はポリオキシエチレン２０モノラウレートである。この組成物は、さらなる植物成長調節剤、例えば、異なるジベレリン、オーキシン、サイトキニン、有機酸、エチレン生合成阻害剤またはそれらの組合せを含むこともできる。この組成物は、約４０重量パーセントから約５０重量パーセントのジベレリン、約０．１重量パーセントから約４重量パーセントのポリビニルピロリドン、約４０重量パーセントから約６０重量パーセントのラクトース一水和物および約０．５重量パーセントから約５重量パーセントのポリオキシエチレン２０モノラウレートを有することができる。
【００１９】
本発明は、植物成長の調節方法であって、土壌、種子または植物を有効成長調節量の上記組成物で処理する工程を含む方法にも向けられる。この組成物は水で希釈し、かつ噴霧塗布することができる。例えば、植物が果実産生植物、例えば、ブドウ植物である場合、そのように処理されたブドウ産生植物はより大きなブドウおよび／または可溶性固体のパーセンテージがより高いブドウを産生する。
【００２０】
本発明は、水溶性顆粒状植物成長調節剤配合物の調製方法であって、
植物成長調節剤および二糖の粒子を別々に整粒して植物成長調節剤の微粉および二糖の微粉を生成する工程；
該植物成長調節剤の微粉および該二糖の微粉を配合して均一混合物を生成する工程；
ポリビニルピロリドンおよび界面活性剤の水溶液を調製する工程；
該水溶液および該均一混合物を合わせて押出し可能な配合物を形成する工程；
該押出し可能な配合物を押出して押出し材料を形成する工程；
該押出し材料を乾燥させる工程；並びに、次に
植物成長調節剤配合物の水溶性顆粒をふるい分けおよび回収する工程；
を含む方法にも向けられる。
【００２１】
この方法においては、植物成長調節剤はジベレリンであり得、二糖はラクトース一水和物であり得る。
【００２２】
本発明は、噴霧塗布用の固体植物成長調節剤配合物の利用を高める方法であって、該植物成長調節剤を、少なくとも４０％の植物成長調節剤を含有する水溶性顆粒状配合物に配合する工程を含む方法にも向けられる。この方法においては、固体配合物からのダストを移動時に排除することができ；固体配合物の正確な秤量および迅速な溶解を達成することができるため、噴霧塗布用の配合物の調製を増強することができる。この方法は、固体配合物が従来の植物成長調節剤の配合物の２倍の濃度の植物成長調節剤を含有するために有益でもある。この方法において用いるための現時点で好ましい配合物は、少なくとも１種類の植物成長調節剤、少なくとも１種類の結合剤、少なくとも１種類の二糖および少なくとも１種類の界面活性剤を含有する水溶性顆粒状配合物である。現時点で最も好ましい配合物は、少なくとも１種類のジベレリン、ポリビニルピロリドン、ラクトース一水和物およびポリオキシエチレン２０モノラウレートを含有する水溶性顆粒状配合物である。
【発明を実施するための最良の形態】
【００２３】
我々は今や驚くべきことに、水溶性顆粒の形態であれば植物成長調節剤の固体配合物が改善されることを発見している。水溶性顆粒状配合物は直ちに水に溶解して真溶液を形成し、それ故、タンク内での噴霧混合物の長期にわたる混合または不定期もしくは連続的な攪拌が不必要である。二糖、結合剤および界面活性剤の使用は、共に、より濃縮された量の植物成長調節剤、少なくとも４０％の含入を許容する。より濃縮されたこの配合物は、次の段落においてより詳細に説明されるように、利用を高める。
【００２４】
組成物
この配合物は顆粒である。ここで用いられる場合、「顆粒」という用語は肉眼で視認可能な粒子で構成される固体を指す。顆粒は微粒子の凝集体である。
【００２５】
「植物成長調節剤」という熟語は、ここで用いられる場合、処理された植物の正常な系列的発達を、その植物を殺すことなく農業的成熟度に変更するのに役立つ生成物を意味する。そのような変更は、植物の生理学的プロセスに対するその物質の効果から、または植物の形態に対するその物質の効果から生じるものであり得る。これらの変更は生理学的または形態学的要素のあらゆる組合せまたは連続から生じるものでもあり得る。
【００２６】
植物成長調節剤はジベレリン、オーキシン、有機酸、サイトキニン、エチレン生合成阻害剤、またはそれらの組合せであり得る。適切なエチレン生合成阻害剤にはアミノエトキシビニルグリシンが含まれ；適切なオーキシンにはインドール−３−酢酸およびインドール酪酸が含まれ；適切な有機酸にはα−ナフチル酢酸が含まれ、かつ適切なサイトキニンには６−ベンジルアデニンまたは６−ベンジルアミノプリン（６−ＢＡ）および６−フルフリルアミノプリン（キネチン）が含まれる。
【００２７】
「ジベレリン」という用語は、四環環系を有するジテルペノイドを包含する。それらの命名法の観点で、ジベレリンはそれらの発見のためにナンバリングされており、それ故、そのナンバリングは特定の一置換基の位置を指定するものではない。これらの化合物は１９個または２０個の炭素および４つもしくは５つの環系を有する。ジベレリンの幾つかの例には、一般にジベレリン酸と呼ばれるＧＡ３；並びにＧＡ３の直接の前駆体であるＧＡ４およびＧＡ７が含まれる。約９０種類のジベレリンが存在し、全てが一般用語「ジベレリン」、「ジベレリン（複数）」または「ジベレリン酸」に包含され；現時点で好ましい植物成長調節剤である。配合物においては、単一のジベレリンまたは２種類以上のジベレリンの組合せが活性成分であり得る。
【００２８】
結合剤は配合物の結合、崩壊および可溶化を補助する。適切な結合剤には、とりわけ、アルキル化ビニルピロリドン共重合体、例えば、ＡＧＲＩＭＥＲ  ＡＬ−１０およびＡＧＲＩＭＥＲ  ＡＬ−１０ＬＣ；架橋ポリビニルピロリドン、例えば、ＡＧＲＩＭＥＲ  ＡＴおよびＡＧＲＩＭＥＲ  ＡＴＦ；酢酸ビニルおよびビニルピロリドンの共重合体、例えば、ＡＧＲＩＭＥＲ  ＶＡ−６およびＡＧＲＩＭＥＲ  ＶＡ−７；リグノスルホネートおよびそれらのナトリウムもしくはカルシウム塩、例えば、ＭＡＲＡＳＰＥＲＳＥ、ＶＡＮＩＳＰＥＲＳＥ、ＢＯＲＲＥＳＰＥＲＳＥ、ＮＯＲＬＩＧ、ＰＯＬＹＦＯＮおよびＫＲＡＦＴＳＰＥＲＳＥ；非スルホン化リグニン、例えば、ＩＮＤＵＬＩＮ  ＡＴ；クレー、例えば、ＨＹＤＲＩＴＥ  ＲＳ、微結晶セルロース、例えば、ＡＶＩＣＥＬ  ＰＨおよびＬＡＴＴＩＣＥ  ＮＴ；メチルセルロース、例えば、ＭＥＴＨＯＣＥＬ；エチルセルロース、例えば、ＥＴＨＯＣＥＬ；デンプン（天然もしくは修飾）；グルテン；シリケートおよびそれらのナトリウムもしくはカルシウム塩；マグネシウムアルミニウムシリケート、例えば、ＶＥＥＧＵＭ  Ｆ；天然もしくは修飾レシチン、例えば、ＢＥＡＫＩＮ、ＣＥＮＴＲＯＭＩＸもしくはＹＥＬＫＩＮ；糖アルコール、例えば、ＮＥＯＳＯＲＢ、ＳＯＲＢＯＧＥＭ、ＭＡＮＯＧＥＭおよびＭＡＬＴＩＳＷＥＥＴ並びにポリエチレングリコールが含まれる。現時点で好ましい結合剤はポリビニルピロリドン、例えば、ＡＧＲＩＭＥＲ  １５、ＡＧＲＩＭＥＲ  ３０、ＡＧＲＩＭＥＲ  ６０、ＡＧＲＩＭＥＲ  ９０およびＰＬＡＳＤＯＮＥである。
【００２９】
二糖は配合物中で希釈剤および顆粒化助剤として用いられる。適切な二糖には、とりわけスクロース、ラクトースおよびマルトースが含まれ、マルトデキストリンやコーンシロップ固体のような加水分解デンプン、及び、ソルビトールおよびマンニトールのような糖アルコール、並びにフルクトースおよびグルコースのような他の糖も用いられる。現時点で好ましい二糖はラクトース一水和物である。
【００３０】
配合物において、界面活性剤は湿潤剤としての他に分散および顆粒化助剤として用いられる。適切な界面活性剤には、非イオン性界面活性剤、アニオン性界面活性剤および両性界面活性剤が含まれる。非イオン性界面活性剤には、とりわけ、エトキシル化ソルビタンエステル、例えば、ＥＭＳＯＲＢ、ＴＷＥＥＮ、およびＴ−ＭＡＺＥ；ソルビタン脂肪酸エステル、例えば、ＳＰＡＮおよびＡＬＫＡＭＵＬ；スクロースおよびグルコースエステル並びにそれらの誘導体、例えば、ＭＡＺＯＮ、ＲＨＥＯＺＡＮおよびＧＬＵＣＯＰＯＮ；エトキシル化アルコール、例えば、ＴＲＹＣＯＬ、ＢＲＩＪ、ＡＲＭＩＸおよびＰＬＵＲＡＦＡＣ；エトキシル化アルキルフェノール、例えば、ＩＧＥＰＡＬ、ＭＡＣＯＬおよびＴＥＲＧＩＴＯＬ；エトキシル化脂肪アミン、例えば、ＴＲＹＭＥＥＮおよびＥＴＨＯＭＥＥＮ；エトキシル化脂肪酸、例えば、ＥＭＥＲＥＳＴ、ＡＬＫＡＭＵＬおよびＴＲＹＤＥＴ；エトキシル化脂肪エステルおよび油、例えば、ＡＬＫＡＭＵＬおよびＡＴＬＡＳ  Ｇ；脂肪酸、例えば、ＡＴＬＡＳ  Ｇ−１５５６；グリセロールエステル、例えば、ＭＡＺＯＬ  ＧＭＯ；グリコールエステル、例えば、ＧＬＹＣＯＬ  ＳＥＧ；ラノリン・ベースの誘導体、例えば、ＡＭＥＲＣＨＯＬ  ＣＡＢ；メチルエステル、例えば、ＯＬＥＯＣＡＬ  ＭＥ；モノグリセリドおよび誘導体、ＥＴＨＯＳＰＥＲＳＥ  Ｇ−２６；プロポキシル化およびエトキシル化脂肪酸、例えば、ＡＮＴＡＲＯＸ  ＡＡ−６０；酸化エチレンおよび酸化プロピレンのブロック共重合体、例えば、ＰＬＵＲＯＮＩＣもしくはＳＵＲＦＯＮＩＣ；シリコーン・ベースの界面活性剤、例えば、ＳＩＬＷＥＴ、ＢＲＥＡＫＴＨＲＵ並びに有機ケイ素界面活性剤と非イオン性もしくはイオン性界面活性剤の混合物；多糖、アクリルアミドおよびアクリル酸の共重合体；並びにアセチレン性ジオール誘導体、例えば、ＳＵＲＦＹＮＯＬ  １０４またはトリスチリルフェノール、例えば、ＳＯＰＲＯＰＨＯＲが含まれる。現時点で好ましい界面活性剤ファミリーはエトキシル化ソルビタンエステルである。非イオン性界面活性剤、例えば、ポリオキシエチレン（２０）モノラウレート（ＴＷＥＥＮ  ２０もしくはＰＯＬＹＳＯＲＢＡＴＥ  ２０）が現時点で最も好ましい。
【００３１】
適切なアニオン性界面活性剤には、とりわけ、リン酸エステル、例えば、ＥＭＰＨＯＳおよびＲＨＯＤＡＦＡＣ；油および脂肪酸のスルフェートおよびスルホネート、例えば、ＰＯＬＹＳＴＥＰ；エトキシル化アルキルフェノールのスルフェートおよびスルホネート、例えば、ＴＲＩＴＯＮ  Ｘ−３０１；ドデシルおよびトリデシルベンゼンのスルフェート、例えば、ＣＡＬＭＵＬＳＥ；濃縮ナフタレンのスルホネート、例えば、ＶＵＬＴＡＭＯＬ；ナフタレンおよびアルキルナフタレンのスルホネート、例えば、ＭＯＲＥＷＥＴ並びにスルホスクシネートおよび誘導体、例えば、ＭＯＮＡＷＥＴが含まれる。
【００３２】
適切な両性界面活性剤には、とりわけ、レシチンおよびレシチン誘導体；並びにイミダゾリンおよびイミダゾリン誘導体、例えば、ＭＩＲＡＮＯＬが含まれる。
【００３３】
上で結合剤および界面活性剤に用いられる商標は、しばしば、結合剤または界面活性剤のクラスまたはシリーズに共通である。したがって、商標が述べられる場合、その商標を含むファミリー内のあらゆる結合剤または界面活性剤が適する。
【００３４】
配合剤の他の成分には、さらなる表面活性剤、粘着剤、展着性粘着剤、殺線虫剤、全身獲得抵抗性誘発剤、不活性担体、保存剤、加湿剤、染料、Ｕ．Ｖ．（紫外線）保護剤、緩衝剤、流動剤、消泡剤または生成物の取り扱いおよび塗布を促進する他の成分が含まれ得る。
【００３５】
不活性担体の例には、無機鉱物、例えば、カオリン、雲母、石膏、肥料、炭酸塩、硫酸塩、もしくはリン酸塩；有機材料、例えば、糖、デンプンもしくはシクロデキストリン；または植物学的材料、例えば、木材製品、コルク、粉末化トウモロコシ塊、籾殻、落花生外皮およびクルミの殻が含まれる。現時点で好ましい消泡剤はポリジメチルシロキサンであり、現時点で好ましい担体はアルミノケイ酸ナトリウムである。
【００３６】
本発明の材料が他の必須の生物学的製剤または有益微生物または活性成分、例えば、除草剤、抗微生物剤、殺真菌剤、殺昆虫剤、殺線虫剤、生物学的殺虫剤、例えば、微生物殺虫剤、生化学的殺虫剤（半化学薬品、ホルモンもしくは天然植物調節剤）、植物産生殺虫剤（植物性薬品）または植物栄養素と組み合わせて用いることができることも考慮される。
【００３７】
本発明の組成物は、様々なクレー、珪藻土、タルク等およびそれらの混合物を含む、細分した乾燥希釈剤、増量剤、充填剤、調節剤、および賦形剤を含むことができる活性混合物として配合することもできる。
【００３８】
現時点で好ましい組成物は、テクニカルグレードの活性成分ジベレリン；二糖；ポリビニルピロリドンのホモポリマーおよび界面活性剤を含む。好ましいテクニカルグレードの活性成分ジベレリンは、ＧＡ４、ＧＡ７およびそれらの組合せまたはそれらの混合物を含むがそれらに限定されるものではない他のジベレリンを用いることもできるが、それが農業に最も広範に用いられる植物成長調節剤であることからＧＡ３である。配合物中のジベレリンの重量範囲は４０％から８０％であり得る。
【００３９】
用いることができる二糖の量は配合物中のジベレリンのパーセントに依存し、５％から９６％の範囲をとり得る。
【００４０】
ポリビニルピロリドンが配合物中に用いられる場合、６，０００から１，５００，０００の分子量範囲を有することができる。現時点で好ましいポリマーは５７，５００の平均分子量を有するポリビニルピロリドン（ＰＶＰ）（範囲＝４０，０００から８０，０００、例えば、ＰＶＰ  Ｋ−３０、ＡＧＲＩＭＥＲ  ３０またはＰＬＡＳＤＯＮＥ）である。配合物中のポリビニルピロリドンの重量範囲は、ジベレリンおよび他の添加物の濃度に依存して、０．１％から４％の範囲をとり得る。
【００４１】
現時点で好ましい特定の組成物は、４３から４６％のジベレリン酸；４７％から５７％のラクトース一水和物、１．４％から２％のＰＯＬＹＳＯＲＢＡＴＥ  ２０；０．７％から２％のポリビニルピロリドン（ＡＧＲＩＭＥＲ  ３０）を含む。
【００４２】
本発明の水溶性顆粒は、水溶性顆粒が混合直後に水に溶解して水溶液を形成する点で水分散性顆粒とは対照的であり得、混合直後には水中に分散するのみであって攪拌で水性懸濁液を形成する水分散性顆粒よりも高濃度の活性成分を有し得る。
【００４３】
上述の水溶性顆粒状配合物の格別の利点は、それらが長期間にわたる、または過度の攪拌の必要なしに水中に容易に分散および溶解することである。
【００４４】
これらの組成物は、成分を配合して押し出し、押出物を乾燥させて所望の水溶性顆粒状配合物を得ることによって作製する。農業的な使用のための水分散性顆粒の作製方法は、とりわけ、欧州特許第０６６５７１４Ｂｌ号；並びに米国特許第５，５８９，４３８号；第４，８６５，８４２号；第５，４６４，６２３号；第６，０８７，３０６号および第６，０１３，２７２号に記載されている。しかしながら、水溶性顆粒を得るための本発明の方法は従来開示されてはいない。
【００４５】
方法
ジベレリンは公知の植物成長調節剤である。例えば、米国特許第４，２４２，１２０号は、結実を刺激する、低分子量炭水化物、例えば、サッカロース、グルコース、フルクトースまたはマルトースを伴うジベレリンの非噴霧組成物を開示し；並びに米国特許第５，１６３，９９３号は、ブドウの房を間引くためのジベレリンおよび界面活性剤の組合せを開示する。しかしながら、上述の水溶性顆粒状配合物は従来開示されてはいない。
【００４６】
上述の配合物は、果実産生植物、野菜産生植物、条植え作物、野菜作物、草または木の植物成長を調節するのに用いることができる。この配合物の使用の利点は処理する果実のタイプに依存して変化する。例えば、ブドウにおいては、この配合物での処理は房の伸長、間引きおよびより大きなブドウにつながり得る。オレンジ、レモン、ライムおよびタンジェリンにおいては、この配合物は外皮の熟成の遅延および外皮の染み、ウォーター・スポッティング（ｗａｔｅｒ  ｓｐｏｔｔｉｎｇ）、粘着性の表面、外皮の膨れまたは圧力下での破裂のような障害の減少につながり得る。サクランボにおいては、より大きく、より明るい色で、および／またはより堅い果実の産生にこの配合物を有利に用いることができる。
【００４７】
この配合物は好ましくは水で希釈し、処理しようとする植物または木に対して噴霧する。噴霧は通常の地上もしくは空中塗布装置によるものであればよい。噴霧容積は果樹園もしくは作物、成長段階および気候条件に依存して可変である。その範囲は５ガロンから３００ガロン／エーカーもしくはそれ以上であり得る。現時点で好ましい範囲は、加圧噴霧塗布装置によりエーカー当たり２５０ガロンから３００ガロンである。塗布用の配合物を調製するには、タンクに水を半分充填し、次いで添加物を噴霧添加した後に植物成長調節剤を添加し、次いでさらに水を添加した後、実際の噴霧に先立って少なくとも１５分間混合する。
【００４８】
その代わりに、作物の成長および維持を改善するための顆粒状殺菌剤と共に、またはそれなしで、配合物を（植物が将来成長するか、または成長している）土壌に直接塗布することもできる。
【００４９】
さらに、配合物を種子に塗布して同じ効果を達成することができる。種子は、とりわけ、コメもしくはイネ、アルファルファ、木綿、サトウモロコシ、ダイズ、トウモロコシまたは他の野菜、観葉植物もしくは芝生および牧草の種子であり得る。
【００５０】
植物成長調節剤の濃度は、処理しようとする果実のタイプ、現場の特性、および所望の結果に依存して変化する。一般には、組成物を約０．０２から約５０／エーカー当たりのｌｂの領域率；好ましくは、約０．１から約５／エーカー当たりのｌｂの率、最も好ましくは、約０．５から３ｌｂ／エーカーの率で塗布することができる。
【００５１】
目的とする果実および所望の結果に依存はするが、１回の塗布で十分であり得、複数回の塗布を行うこともできる。
【００５２】
この顆粒状配合物は、他の補助剤と共に、植物、土壌または種子に塗布することができる。補助剤は、農薬の作用または混合物の物理的特性を補助または修正するため、タンク混合物に添加される材料である。幾つかのタイプのタンク混合物補助剤、例えば、緩衝剤、相溶剤、消泡剤、改変植物油濃縮物、非イオン性界面活性剤、浸透剤、植物配合油（ｐｈｙｔｏｂｌｅｎｄ  ｏｉｌ）、展着剤／粘着剤、粘着剤、植物油濃縮物、または他の成分、例えば、酸性化剤、加湿剤、賦活剤および作物油濃縮物が存在する。緩衝剤の例は、ＢＵＦＦＥＲ−Ｘ、アルキルアリールポリエトキシエタノールの混合物、脂肪酸、グリコールエーテル、Ｄ−アルキルベンゼンジカルボキシレートおよびイソプロパノールであり；相溶剤の例は、ＬＡＴＲＯＮ  ＡＧ−４４Ｍ、アルキルアリールポリオキシエチレングリコールの混合物およびリン酸エステル界面活性剤であり；消泡剤の例は、ＦＯＡＭ  ＢＵＳＴＥＲ、ジメチルポリシロキサンであり；展着剤−粘着剤の例は、ＬＡＴＲＯＮ  Ｂ−１９５６、修飾フタル酸グリセロールアルキル化樹脂およびＳＵＲＦＩＸ、ベータ−ピネンポリマーであり、粘着剤の例は、ＢＯＮＤ、合成ラテックスポリマーである。
【００５３】
補助剤のタイプおよび塗布率は、用いられる補助剤、作物、作物の成長、気候条件、所望の効果および、用いられるのであれば、他のタンク混合物添加物に依存して変化する。他のタンク混合物添加物は、例えば、殺虫剤または葉の栄養素である。
【００５４】
上述の配合物は、それらが噴霧塗布のための取り扱いがより容易であるため、特に有利である。この固体配合物を水溶液で希釈するために計り分けるとき、それは優れた摩擦耐性を有していて取り扱いの間にダストを生成する可能性が最小であり、測定が容易で、かつ迅速に溶解する。さらに、この水溶性顆粒状配合物は他のタイプの固体配合物、例えば、水分散性顆粒よりも濃縮された量の植物成長調節剤を含む；したがって、水溶性顆粒状配合物はより密集させて包装、輸送および保管することができる。
【００５５】
ここで用いられる場合、「植物」という用語には果実産生植物、野菜産生植物、条植え作物、野菜作物、草および木が含まれる。
【００５６】
果実は、ブドウ、サクランボ、レモン、ライム、オレンジ、グレープフルーツ、イチゴ、パイナップル、石果、リンゴ、ナシ、ブルーベリーまたはタンジェリンであり得る。条植え作物は、とりわけ、木綿、ダイズ、トウモロコシ、サトウキビまたはコメであり得る。野菜作物は、とりわけ、レタス、アーティチョーク、セロリまたはコショウであり得る。草は、とりわけ、バヒアグラス（Ｂａｈａｉｇｒａｓｓ）（Ｐａｓｐａｌｕｍ  ｎｏｔａｔｕｍ  Ｆｌｕｇｇｅ）、ベントグラス（Ｂｅｎｔｇｒａｓｓ）（Ａｇｒｏｓｔｉｓ  Ｌ．）、ギョウギシバ（Ｂｅｒｍｕｄａｇｒａｓｓ）（Ｃｙｎｏｄｏｎ  ｄａｃｔｙｌｏｎ  Ｌ．）、カーペットグラス（Ｃａｒｐｅｔｇｒａｓｓ）（Ａｘｏｎｏｐｕｓ  ａｆｆｉｎｉｓ  Ｃｈａｓｅ）、ケンタッキー・ブルーグラス（Ｋｅｎｔｕｃｋｙ  ｂｌｕｅｇｒａｓｓ）（Ｐｏａ  ｐｒａｔｅｎｓｉｓ  Ｌ．）、カナダ・ブルーグラス（Ｃａｎａｄａ  Ｂｌｕｇｒａｓｓ）（Ｐｏａ  ｃｏｍｐｒｅｓｓａ  Ｌ．）、バッファローグラス（Ｂｕｆｆａｌｏｇｒａｓｓ）（Ｂｕｃｈｌｏｅ  ｄａｃｔｙｌｏｉｄｅｓ（Ｎｕｔｔ．）Ｅｎｇｌｅｍ．）、ウシノケグサ（Ｆｅｓｃｕｅ  ｇｒａｓｓｅｓ（Ｆｅｓｔｕｃａ））、一年生ライグラス（ａｎｎｕａｌ  Ｒｙｅ  ｇｒａｓｓ）（Ｌｏｌｉｕｍ  Ｌ．ｍｕｌｔｉｆｌｏｒｕｍ  Ｌａｍ．）、多年生ライグラス（Ｌｏｌｉｕｍ  ｐｅｒｅｎｎｅ  Ｌ．）、セント・オーガスティングラス（Ｓａｉｎｔ  ａｕｇｕｓｔｉｎｅｇｒａｓｓ）（Ｓｔｅｎｏｔａｐｈｒｕｍ  ｓｅｃｕｎｄａｔｕｍ  Ｋｕｎｔｚｅ）、日本芝（Ｊａｐａｎｅｓｅ  ｌａｗｎｇｒａｓｓ）（Ｚｏｙｓｉａ  ｊａｐｉｎｉｃａ  Ｓｔｅｕｄ．）、センチペデグラス（Ｃｅｎｔｉｐｅｄｅｇｒａｓｓ）（Ｅｒｅｍｏｃｈｌｏａ  ｏｐｈｉｕｒｏｉｄｅｓ（Ｍｕｎｒｏ）Ｈａｃｃｋ）、住居または商業的施設用の他の芝生であり得る。
【００５７】
もちろん、本発明はここで説明される特定の実施態様および操作方法に限定されるものではなく、本発明の範囲から逸脱することなく詳細における幾つかの変種を想像することが可能である。
【００５８】
以下の例は本発明の好ましい実施態様および有用性を説明するために提示されるものであり、添付される請求の範囲において他に述べられない限り本発明を限定しようとするものではない。
【実施例１】
【００５９】
植物成長調節剤の水溶性顆粒状配合物を以下のように調製した。
【００６０】
まず、均一な混合物を得ることに加えて顆粒の溶解速度を高めるため、植物成長調節剤、ジベレリン酸、および二糖、ラクトース一水和物、のサイズを揃えて粒子サイズを最適化した。ジベレリン酸固体粒子は８８％の粒子が１００メッシュふるい（１５０マイクロメートル）を通過するように製粉し、ラクトース一水和物固体粒子は最少で９８％の粒子が８０メッシュ（１８０マイクロメートル）ふるいを通過するように選択した。そのように処理された成分を、均一な混合物が得られるまで、一緒に配合した。
【００６１】
次に、結合剤貯蔵溶液を以下のように調製した。ポリビニルピロリドン（ＡＧＲＩＭＥＲ  ３０、Ｉｎｔｅｒｎａｔｉｏｎａｌ  Ｓｐｅｃｉａｌｔｙ  Ｐｒｏｄｕｃｔｓ，  Ｉｎｃ．から入手可能）を、４５℃から５５℃に予め加熱された濾過済脱イオン水に徐々に添加した後、透明溶液が得られるまで混合した。次いで、その混合物を冷却した。次に、界面活性剤、例えば、エトキシル化ソルビタンエステル（ＴＷＥＥＮ  ２０、Ｕｎｉｑｅｍａから入手可能）をその結合剤水溶液に攪拌しながら添加し、水性結合剤および界面活性剤混合物を形成した。
【００６２】
次いで、その水性結合剤および界面活性剤混合物を、制御された速度で、植物成長調節剤および二糖の整粒粒子の配合物に添加した。生じる非粘着性湿性塊を押出機によって押出した後、水分３％未満まで乾燥させ、ふるいにかけて最終水溶性顆粒状植物成長調節剤配合物を得た。顆粒を２０００マイクロメートルの開口を有する１０メッシュふるいを通過させ、かつ６００マイクロメートルの開口を有する３０メッシュふるい上に保持してふるい分けした後、所望の生成物を回収した。
【００６３】
上述の手順を、以下で表１から３に記載される本発明を代表する配合物１から３の調製に用いた。配合物２の代表的な試料は、５４℃の加速温度に４週間並びに一定の４０℃、５℃、２５℃および３０℃に３ヶ月間処した。配合物の物理的および化学的特性（％ＧＡ３）の両者は、試験期間中、安定なままであった。
【００６４】
上述の方法は配合物の調製の具体的な例である。一般には、３０マイクロメートルから２５０マイクロメートルの範囲の粒子サイズを有するジベレリン酸並びに３０マイクロメートルから１８０マイクロメートルの範囲の粒子サイズを有するラクトース一水和物が本発明の配合物の調製に有用である。
【００６５】
【表１】
0004408630.tif 000002
【００６６】
【表２】
0004408630.tif 000003
【００６７】
【表３】
0004408630.tif 000004
【実施例２】
【００６８】
水溶性顆粒状配合物の有効性を決定するため、水溶性顆粒状ジベレリン酸配合物の代表例（実施例１の配合物２）を、野外において、商業的に入手可能な可溶性粉末ジベレリン配合物の配合物（ＰＲＯＧＩＢＢ２Ｘ、Ｖａｌｅｎｔ  ＢｉｏＳｃｉｅｎｃｅｓ  Ｃｏｒｐ．から入手可能）に対して評価し、Ｒｅｄ  Ｇｌｏｂｅブドウの産生に対する効果を決定した。
【００６９】
試験配合物は以下のように調製した。４０グラムの活性成分と等価の、２００グラムの商業的に入手可能なＰＲＯＧＩＢＢ  ２Ｘを商業的サイズの噴霧タンク内で５００ガロンの水に溶解した。同様に、同じ４０グラムの活性成分と等価の、１００グラムの本発明の実験用水溶性顆粒状配合物（実施例２）を商業サイズの噴霧タンク内で５００ガロンの水に溶解した。両噴霧溶液は、市販補助剤、ＬＡＴＲＯＮ  Ｂ−１９５６、水分散性樹脂ベースのイオン性界面活性剤（修飾フタル酸グリセロールアルキル化樹脂、ロームアンドハース社（Ｒｏｈｍ  ＆  Ｈａａｓ）から入手可能）を０．０５％ｗｔ／ｗｔで含有していた。
【００７０】
野外実験は米国西部のＲｅｄ  Ｇｌｏｂｅブドウ果樹園に対して行った。水で希釈した各々の配合物を、水２５０ガロン中に２０グラムの活性成分／エーカーの１回塗布率でＲｅｄ  Ｇｌｏｂｅブドウに噴霧した。実は処理時に直径が１４ｍｍから１６ｍｍであった。処理の３ヶ月後、ブドウを収穫し、グラム表示での実のサイズおよび可溶性固体パーセント（％Ｂｒｉｘ）に関するデータを記録した。
【００７１】
可溶性固体は標準化屈折計技術によって測定した。可溶性固体の増加は実の品質が改善されていることを示す；これは、それがより甘い実を示すためである。
【００７２】
表４に提示されるデータは、本発明の水溶性顆粒が、活性成分ベースの塗布率；種類および成長段階が両処理で類似していたとしても、標準配合物と比較して実のサイズおよび可溶性固体の両者を驚くほどに、かつ有意に増加させたことを示す。統計解析は、これらの数字が実際の改善を反映し、かつ無作為の発生の結果ではなかったことを示した。
【００７３】
【表４】
0004408630.tif 000005
【実施例３】
【００７４】
水溶性顆粒状配合物の有効性を決定するため、水溶性顆粒状ジベレリン酸配合物の代表例（実施例１の配合物２）を、野外において、可溶性粉末ジベレリン配合物の商業的に入手可能な配合物（ＰＲＧＩＢＢ  ２Ｘ、Ｖａｌｅｎｔ  ＢｉｏＳｃｉｅｎｃｅｓ  Ｃｏｒｐ．から入手可能）に対して、Ｔｈｏｍｐｓｏｎ  Ｓｅｅｄｌｅｓｓブドウの産生に対する効果について評価した。
【００７５】
試験配合物は以下のように調製した。１２８グラムの活性化合物に等価の６４０グラムの商業的に入手可能なＰＲＯＧＩＢＢ  ２Ｘを商業サイズの噴霧タンク内で５００ガロンの水に溶解した。同様に、１２８グラムの活性化合物に等価の３２０グラムの本発明の水溶性顆粒状配合物（実施例１の配合物２）を商業サイズの噴霧タンク内で５００ガロンの水に溶解した。各々の噴霧溶液は市販の補助剤、ＬＡＴＲＯＮ  Ｂ−１９６５、水分散性で樹脂ベースの非イオン性界面活性剤（修飾フタル酸グリセロールアルキル化樹脂、ロームアンドハース社（Ｒｏｈｍ  ＆  Ｈａａｓ）から入手可能）も０．０５％ｗｔ／ｗｔ含有していた。
【００７６】
野外実験は米国西部のＴｈｏｍｐｓｏｎ  Ｓｅｅｄｌｅｓｓブドウ果樹園において行った。水で希釈した各々の配合物を、実が直径４ｍｍから６ｍｍのときの第１回および実が直径８ｍｍから１０ｍｍのときの第２回の２回塗布した。いずれの回も、塗布率は両配合物に対して等しく保ち、６４グラムの活性成分を２５０ガロン／エーカーの率で噴霧した。第２回の塗布の３ヶ月後、ブドウを収穫し、グラム表示での実のサイズおよび可溶性固体％（％Ｂｒｉｘ）を記録した。表５に提示されるデータは、標準配合物と比較したとき、活性成分ベースでの塗布率、種類および成長段階が両処理で類似していたとしても、本発明の水溶性顆粒が実のサイズおよび可溶性固体の両者を驚くほどに、かつ有意に増加させたことを示す。統計解析は、これらの数字が実際の改善を反映し、かつ無作為の発生の結果ではなかったことを示した。
【００７７】
【表５】
0004408630.tif 000006
【００７８】
引用されるすべての参考文献は参照してここに組み込まれる。
【００７９】
本発明は前述の説明および例によって説明される。前述の説明は、多くの変形がそれらの観点からこの技術分野における熟練者に明らかになるであるため、非限定的な説明としてを意図するものである。添付の請求の範囲の範囲および精神内のそのような変形の全てがそれらによって包含されることが意図される。
【００８０】
ここで説明される本発明の組成物、方法の操作および配置において、以下の請求の範囲において定義される本発明の概念および範囲から逸脱することなく、変更をなすことができる。